(57)【要約】【課題】取付板の部分を開くことができ、それによって紙などの被綴じ要素における書き込める領域を、広くとることができる綴じ具を提供する。【解決手段】伸縮性を有する綴じ紐２０と、綴じ紐２０の第１端部に取り付けられた棒状の第1止め具３１と、綴じ紐２０の第２端部に取り付けられた棒状の第２止め具３２と、第１止め具３１が挿通される第1通孔４１ａと第２止め具３２が挿通される第２通孔４１ｂとが設けられた背面取付板４１と、第１止め具３１が挿通される第1通孔４２ａと第２止め具３２が挿通される第２通孔４２ｂとが設けられた前面取付板４２と、を備えている。【選択図】図１
2020097211.tif 000002
【特許請求の範囲】
【請求項１】
伸縮性を有する綴じ紐と、
前記綴じ紐の第１端部に取り付けられた棒状の第１止め具と、
前記綴じ紐の第２端部に取り付けられた棒状の第２止め具と、
前記第１止め具が挿通される第1通孔と前記第２止め具が挿通される第２通孔とが設けられた背面取付板と、
前記第１止め具が挿通される第1通孔と前記第２止め具が挿通される第２通孔とが設けられた前面取付板と、を備える、綴じ具。
【請求項２】
前記背面取付板には、複数の前記第１通孔と複数の前記第２通孔とが設けられるとともに、前記前面取付板には、複数の前記第１通孔と複数の前記第２通孔とが設けられる、請求項１に記載された、綴じ具。
【請求項３】
棒状の前記第１止め具及び棒状の前記第２止め具の側面には、前記綴じ紐が嵌入移動することのできるスリットが形成されている、請求項１又は請求項２に記載された、綴じ具。
【請求項４】
前記前面取付板の端面には、前記綴じ紐が嵌入することのできる凹部が形成されている、請求項１乃至請求項３のいずれか一項に記載された、綴じ具。
【請求項５】
前記背面取付板及び／又は前記前面取付板には、側縁がブックカバーに挿入されるプレートが一体に取り付けられている、請求項１乃至請求項４のいずれか一項に記載された、綴じ具。
【請求項６】
伸縮性を有する綴じ紐と、
前記綴じ紐の第１端部に取り付けられた棒状の第1止め具と、
前記綴じ紐の第２端部に取り付けられた棒状の第２止め具と、
前記第１止め具が挿通される第1通孔と前記第２止め具が挿通される第２通孔とが設けられた背面取付板と、を備える、綴じ具。
【請求項７】
伸縮性を有する綴じ紐と、
前記綴じ紐の第１端部に取り付けられた棒状の第１止め具であって、側面に前記綴じ紐が嵌入移動することのできるスリットが形成されている、第１止め具と、
前記綴じ紐の第２端部に取り付けられた棒状の第２止め具であって、側面に前記綴じ紐が嵌入移動することのできるスリットが形成されている、第２止め具と、を備える、綴じ具。
【請求項８】
前記背面取付板と前記前面取付板とが一体に構成されている、請求項１乃至請求項５のいずれか一項に記載された、綴じ具。
【発明の詳細な説明】
【技術分野】
【０００１】
本発明は、ファイルに使用する綴じ具に関するものである。
【背景技術】
【０００２】
従来、ファイル用綴じ具は合成樹脂製の取付板体では、綴じ紐を外側方向に折り曲げたうえで抑止駒をスライドさせて位置を固定するようになっている。
【０００３】
一方、特許文献１には、綴じ紐を内側方向に折り曲げたうえで抑止駒をスライドさせる綴じ具が開示されている。この綴じ具は、取付板体の厚みを変化させることで、綴じ紐の先端側が重なり合った状態でも抑止駒が摺動しやすくされている。
【先行技術文献】
【特許文献】
【０００４】
【特許文献１】実用新案登録第３０３５４７８号公報
【発明の概要】
【発明が解決しようとする課題】
【０００５】
しかしながら、従来の綴じ具は、紙などの被綴じ要素を取付板と台紙との間に強く押圧して綴じるため、取付板の部分を開くことができずに書き込める領域が狭くなる、という問題があった。
【０００６】
そこで、本発明は、取付板の部分を開くことができ、それによって紙などの被綴じ要素における書き込める領域を、広くとることができる綴じ具を提供することを目的とする。
【課題を解決するための手段】
【０００７】
前記目的を達成するために、本発明の綴じ具は、伸縮性を有する綴じ紐と、前記綴じ紐の第１端部に取り付けられた棒状の第1止め具と、前記綴じ紐の第２端部に取り付けられた棒状の第２止め具と、前記第１止め具が挿通される第1通孔と前記第２止め具が挿通される第２通孔とが設けられた背面取付板と、前記第１止め具が挿通される第1通孔と前記第２止め具が挿通される第２通孔とが設けられた前面取付板と、を備えている。
【０００８】
また、前記背面取付板には、複数の前記第1通孔と複数の前記第２通孔とが設けられるとともに、前記前面取付板には、複数の前記第１通孔と複数の前記第２通孔とが設けられる、ことができる。
【０００９】
さらに、棒状の前記第１止め具及び棒状の前記第２止め具の側面には、前記綴じ紐が嵌入移動することのできるスリットが形成されていることができる。
【００１０】
また、前記前面取付板の端面には、前記綴じ紐が嵌入することのできる凹部が形成されていることができる。
【００１１】
さらに、前記背面取付板及び／又は前記前面取付板には、側縁がブックカバーに挿入されるプレートが一体に取り付けられていることができる。
【００１２】
また、本発明の別形態の綴じ具は、伸縮性を有する綴じ紐と、前記綴じ紐の第１端部に取り付けられた棒状の第1止め具と、前記綴じ紐の第２端部に取り付けられた棒状の第２止め具と、前記第１止め具が挿通される第1通孔と前記第２止め具が挿通される第２通孔とが設けられた背面取付板と、を備えている。
【発明の効果】
【００１３】
このように、本発明の綴じ具は、伸縮性を有する綴じ紐と、綴じ紐の第１端部に取り付けられた棒状の第1止め具と、綴じ紐の第２端部に取り付けられた棒状の第２止め具と、第１止め具が挿通される第1通孔と第２止め具が挿通される第２通孔とが設けられた背面取付板と、第１止め具が挿通される第1通孔と第２止め具が挿通される第２通孔とが設けられた前面取付板と、を備えている。このような構成であるから、紙などの被綴じ要素における書き込むことのできる領域が広い綴じ具となる。つまり、伸縮性のある綴じ紐によって１８０度の開閉を可能となるため、綴じ紐以外の全ての領域に書き込むことができる。
【００１４】
また、背面取付板には、複数の第1通孔と複数の第２通孔とが設けられるとともに、前面取付板には、複数の第１通孔と複数の第２通孔とが設けられることによって、被綴じ要素の厚みに応じて、複数の通孔から最適な通孔を選択することによって、最適な綴じ力を得ることができる。
【００１５】
さらに、棒状の第１止め具及び棒状の第２止め具の側面には、綴じ紐が嵌入移動することのできるスリットが形成されていることで、前面取付板の前面側に確実かつ容易に第１止め具及び第２止め具を掛止させることができる。
【００１６】
また、前面取付板の端面には、綴じ紐が嵌入することのできる凹部が形成されていることで、綴じ具全体の厚みをいっそう薄くすることができる。
【００１７】
さらに、背面取付板及び／又は前面取付板には、側縁がブックカバーに挿入されるプレートが一体に取り付けられていることで、市販のブックカバーを使用することができるため、綴じ具及び被綴じ要素の全体を保護したり外観意匠を向上させたりできる。
【００１８】
また、本発明の別形態の綴じ具は、伸縮性を有する綴じ紐と、綴じ紐の第１端部に取り付けられた棒状の第1止め具と、綴じ紐の第２端部に取り付けられた棒状の第２止め具と、第１止め具が挿通される第1通孔と前記第２止め具が挿通される第２通孔とが設けられた背面取付板と、を備えている。このような構成であるから、紙などの被綴じ要素における書き込むことのできる領域が広い綴じ具となる。つまり、伸縮性のある綴じ紐によって１８０度の開閉を可能となるため、綴じ紐以外の全ての領域に書き込むことができる。
【図面の簡単な説明】
【００１９】
【図１】綴じ具の全体構成を説明する斜視図である。
【図２】綴じ具を部品ごとに分解した分解斜視図である。
【図３】止め具の斜視図である。
【図４】背面取付板の斜視図である。
【図５】前面取付板の斜視図である。
【図６】変形例の止め具の斜視図である。
【図７】ブックカバー用リフィールを装着した綴じ具の斜視図である。
【図８】ブックカバー用リフィールの斜視図である。
【図９】実施例６の綴じ具の斜視図である。
【図１０】実施例６の綴じ具の使用状態の説明図である。
【図１１】実施例７の綴じ具の斜視図である。
【図１２】実施例７の綴じ具の使用状態の説明図である。
【発明を実施するための形態】
【００２０】
以下、本発明の実施の形態について図面を参照して説明する。なお、以下に説明する実施例は例示であり、本発明を以下の実施例の内容に限定することを意図するものではない。
【実施例１】
【００２１】
（好適な実施例）
まず、図１、図２を用いて本発明の綴じ具１０の全体構成を説明する。綴じ具１０は、伸縮性を有する綴じ紐２０と、綴じ紐２０の第１端部に取り付けられた棒状の第1止め具３１と、綴じ紐２０の第２端部に取り付けられた棒状の第２止め具３２と、第１止め具３１が挿通される第１通孔４１ａと第２止め具３２が挿通される第２通孔４１ｂとが設けられた背面取付板４１と、第１止め具３１が挿通される第１通孔４２ａと第２止め具３２が挿通される第２通孔４２ｂとが設けられた前面取付板４２と、を備えている。
【００２２】
綴じ紐２０は、伸縮性を有する素材から構成される長尺の紐である。綴じ紐２０は、伸縮性を有するものであれば、どのような素材で構成してもよい。さらに、伸縮性を有すれば、必ずしも素材自体も問わない。綴じ紐２０は、全体の長さの一部のみに伸縮性を有する構成を備えていてもよい。
【００２３】
第１止め具３１及び第２止め具３２は、図３に示すように、綴じ紐２０の両端に配置される棒状（ここでは円柱状乃至円筒状）の部材である。後述するように背面取付板４１や前面取付板４２に設けられる通孔４１ａ、４１ｂ、４２ａ、４２ｂと略同一の外径を有することが好ましい。
【００２４】
さらに、棒状の第１止め具３１及び棒状の第２止め具３２の側面には、一方の端面から連続して伸びる、綴じ紐２０が嵌入移動することのできる、スリット３１ａ、３２ａが形成されている。なお、図６に示すように、止め具３１、３２は、スリットを設けない単純な円柱状乃至円筒状に形成することももちろん可能である。
【００２５】
背面取付板４１は、図４に示すように、長手方向の寸法が長い長方形の板状の部材である。背面取付板４１には、中央を挟んで両側に複数（ここでは３つ）の第１通孔４１ａ、・・・と、複数（ここでは３つ）の第２通孔４１ｂ、・・・と、が形成されている。これらの通孔４１ａ、・・・、４１ｂ、・・・は、例えば、バイブルサイズの用紙の６つの孔の位置に対応するように設けられている。
【００２６】
前面取付板４２は、図５に示すように、手方向の寸法が長い長方形の板状の部材である。前面取付板４２には、中央を挟んで両側に複数（ここでは３つ）の第１通孔４２ａ、・・・と、複数（ここでは３つ）の第２通孔４２ｂ、・・・と、が形成されている。これらの通孔４２ａ、・・・、４２ｂ、・・・は、例えば、バイブルサイズの用紙の６つの孔の位置に対応するように設けられている。
【００２７】
さらに、前面取付板４２の端面には、綴じ紐２０が嵌入することのできる凹部４２ｃが形成されている。
【００２８】
（効果）
次に、本実施例の綴じ具１０の奏する効果を列挙して説明する。
【００２９】
（１）上述してきたように、本実施例の綴じ具１０は、伸縮性を有する綴じ紐２０と、綴じ紐２０の第１端部に取り付けられた棒状の第1止め具３１と、綴じ紐２０の第２端部に取り付けられた棒状の第２止め具３２と、第１止め具３１が挿通される第１通孔４１ａと第２止め具３２が挿通される第２通孔４１ｂとが設けられた背面取付板４１と、第１止め具３１が挿通される第１通孔４２ａと第２止め具３２が挿通される第２通孔４２ｂとが設けられた前面取付板４２と、を備えている。このような構成であるから、紙などの被綴じ要素における書き込むことのできる領域が広い綴じ具となる。つまり、伸縮性のある綴じ紐２０によって１８０度の開閉を可能となるため、綴じ紐２０以外の全ての領域に書き込むことができる。
【００３０】
（２）また、背面取付板４１には、複数の第１通孔４１ａ、・・・と複数の第２通孔４１ｂ、・・・とが設けられるとともに、前面取付板４２には、複数の第１通孔４２ａ、・・・と複数の第２通孔４２ｂ、・・・とが設けられることによって、被綴じ要素の厚みに応じて、複数の通孔４１ａ〜４２ｂから最適な通孔を選択することによって、最適な綴じ力を得ることができる。
【００３１】
（３）さらに、棒状の第１止め具３１及び棒状の第２止め具３２の側面には、綴じ紐が嵌入移動することのできるスリット３１ａ、３２ａが形成されていることで、前面取付板４２の前面側に確実かつ容易に第１止め具３１及び第２止め具３２を掛止させることができる。
【００３２】
（４）また、前面取付板４２の端面には、綴じ紐２０が嵌入することのできる凹部４２ｃが形成されていることで、綴じ具１０全体の厚みをいっそう薄くすることができる。
【００３３】
（その他）上述した効果に加えて、本実施例の綴じ具１０によれば、容易に綴じられるファイル用の綴じ具１０を提供することができる。すなわち、樹脂製の棒状の止め具３１、３２を利用することで、折曲がったりせずに紙などの被綴じ要素の孔に通すことができ、かつ、容易に綴じることができる。
【００３４】
また、本実施例の綴じ具１０によれば、紙がやぶれにくい綴じ具１０となる。つまり、伸縮性のある綴じ紐２０によって、前面取付板４２と背面取付板４１の間で均一に挟めるようになり、また綴じ紐２０自体が歪むため、被綴じ要素（例えば紙）に設けた孔への負担を減らし、被綴じ要素（例えば紙）の破れにくい綴じ状態になる。
【００３５】
さらに、本実施例の綴じ具１０によれば、被綴じ要素（例えば紙）における書き込める領域が広い綴じ具１０となる。つまり、伸縮性のある綴じ紐２０によって１８０度の開閉を可能とし、綴じ具１０近傍の綴じ紐２０以外のほぼ全ての領域に書き込むことができる。
【００３６】
また、本実施例の綴じ具１０は、厚みの薄いファイル用の綴じ具１０となる。具体的に言うと、「前面取付板４２＋背面取付板４１＋綴じ紐２０の２本分」の厚さとなるため、全体の厚みを薄くできる。
【００３７】
（綴じ具の使用方法）
綴じ具１０は、例えば、以下のように使用することができる。
（１）背面取付板４１から、被ファイル部材（例えば紙）、前面取付板４２を通すように、綴じ紐２０を通す。すなわち、止め具３１、３２を、被ファイル部材（被綴じ要素）の孔に通す。この際、止め具３１、３２を、背面取付板４１及び前面取付板４２に挿通しつつ直立させることで、被ファイル部材を挿し通しやすくなる。
（２）綴じ紐２０の両端にある止め具３１、３２を前面取付板４２の挿通孔４２ａ、４２ｂに対して、引っ掛かるように止める。又は、前面取付板４２の凹部４２ｃに止め具（パイプ）３１、３２を通すことで止める。
（３）紙の枚数が多く（少なく）なった場合は、綴じ紐２０を通す通孔４１ａ、４１ｂ、４２ａ、４２ｂを、厚みに応じて選択することで綴じ紐２０の張力を調整する。
【００３８】
背面取付板４１の素材：樹脂(例えばナイロン)が好適である。
背面取付板４１と止め具３１、３２の径を等しくすることで、止め具３１、３２が挿通孔４２ａ、４２ｂにぴったりはまりファイルの出し入れが容易となる。
【００３９】
前面取付板４２の素材：樹脂(例えばナイロン)が好適である。
綴じ紐２０の止め具３１、３２の外径分だけ大きくして、綴じ紐２０のみが通るような溝を作ることで、止め具３１、３２をファイルの上側または側面に移動させることができる。そうすると、ファイルの厚さがより薄くなる。
【００４０】
綴じ紐２０：ゴム(ヘアゴム)が好適である。ただし、伸縮性があればどのような素材であっても使用できる。
綴じ紐２０の止め具３１、３２：樹脂（例えばナイロン）が好適である。
綴じ紐２０と止め具３１、３２を試作した。綴じ紐２０は、例えば、ヘアゴムを適切な長さに切って作成可能である。止め具３１、３２は、例えば、３Ｄプリンターで製造可能である。
ファイルの穴を通すときに、綴じ紐２０が止め具３１、３２からはみ出ないようになっているため通しやすい。
ファイルを綴じるときは、止め具３１、３２の綴じ紐２０を溝のある方へずらすことで、前面取付板４２にひっかけてしっかり綴じることもできる。
【００４１】
（綴じ紐と止め具の試作品の組み立て方法）
綴じ紐２０と止め具３１、３２は、例えば、以下のように組み立てることができる。
（１）止め具（パイプ状）に釣り糸を輪っか状にして通す。
（２）通した輪っかにヘアゴムを通す。
（３）釣り糸を引っ張り、ヘアゴムを止め具に通す。
（４）ヘアゴムを固結びして、余分なヘアゴムを切り取る。
（５）固結びして、止め具の中に入るようにヘアゴムを引っ張る。
（６）もう片方も同様に行う。
（ポイント）ヘアゴムと止め具の穴の大きさは、窮屈にフィットするように止め具の内径を製造すると、綴じ紐のヘアゴム部分がすっぽぬけないようになる。
【実施例２】
【００４２】
（素材に関する実験）
次に、各部材の素材について考察する。
【００４３】
背面取付板：金属（ステンレス）
硬度の高い素材にすることで、綴じ紐でしっかりバインダーをしめても本体が曲がりにくくなった。しかし見た目が悪いことと、バリの取り残しを懸念して最適な実施例としない。
【００４４】
前面取付板：金属（ステンレス）
硬度の高い素材にすることで、綴じ紐でしっかりバインダーをしめても本体が曲がりにくくなった。しかし見た目が悪いことと、バリの取り残しを懸念して最適な実施例としない。
【００４５】
綴じ紐の紐：樹脂(ナイロン=釣り糸)
多少の伸びがあるので使えないこともない。細すぎて紙が破れやすくなったため最適とは言えない。ただ逆に日めくりカレンダーのようにそのような用途のものであればむしろメリットになるかもしれない。
【００４６】
綴じ紐の止め具：金属（ステンレス）
丸パイプの片側側面に穴を開けることで、その部分に綴じ紐の紐を通すことで止め具を作成した。製造方法はレーザー加工によるもので丸パイプの側面中心から側面端にかけてえぐりとるようにレーザーを貫通させることで作成した。なぜこのような方法をとったかというと、軽の小さい鉄パイプの内径を変化させるように作成することが難しいからである。[綴じ紐の軸に水平な断面図の最大長さ]が[パイプの径+綴じ紐の紐]となり、ファイルを通すときに紐がひっかかり通しにくい（通りはするが）ため最適な実施例としない。
【実施例３】
【００４７】
（綴じ紐と止め具に関する実験）
次に、綴じ紐と止め具に関する実験について説明する。
３Ｄプリンターで作成した止め具と既製品の紐の組み合わせによって、綴じ紐を試作した。
【００４８】
（実験１）
ゴム紐を通すことができるか？(左側が結果 ok or ng)、また通したあとに、固結びをしてその結び目を通すことができるか？(右側が結果 ok or ng)をテストした。
【００４９】
[外径:4.5mm 内径:3.5mm]のパイプ vs ゴムA_1〜ゴムD
結果：
- ゴムA_1  ok  ok
- ゴムA_2  ok  ok
- ゴムB    ok  ok
- ゴムC    ok  ok
- ゴムD    ok  ng
ゴムA_1は[外径:4.5mm 内径:3.5mm]のパイプを[綴じ紐の組み立て方法]の方法で通すことができる。しかし、[綴じ紐の組み立て方法]の固結び後の結び目をパイプ内に収めることはできない。
【００５０】
[外径:4.0mm 内径:3.0mm]のパイプ vs ゴムA_1〜ゴムD
結果：
ゴムA_1  ok  ok
ゴムA_2  ok  ok
ゴムB    ok  ok
ゴムC    ok  ok
ゴムD    ng  -
【００５１】
[外径:3.5mm 内径:2.5mm]のパイプ vs ゴムA_1〜ゴムD
結果：
ゴムA_1  ok  ok
ゴムA_2  ok  ok
ゴムB    ok  ok
ゴムC    ok  ok
ゴムD    ng  -
【００５２】
[外径:3.0mm 内径:2.0mm]のパイプ vs ゴムA_1〜ゴムD
結果：
ゴムA_1  ng  -
ゴムA_2  ng  -
ゴムB    ng  -
ゴムC    ng  -
ゴムD    ng  -
【００５３】
結論：内径2.0mm〜2.5mmの間で通らなくなりそう。
【００５４】
（実験２）
内径を変化させた部分でしっかり固定されるかをテストした。
このテストはゴムA_1に関してのみ行なっている。（他のゴム紐でできないわけではないが、太い方が紙が破れにくくなると考えたためゴムA_1を最適な実施例として選択した）また、実験１においてパイプの厚さを0.5mmに設定しているが、ややもろく指で強くつまむとつぶせたため。止め具の厚さを0.75mmに設定した。
【００５５】
結果：
外径:4.0  内径1:2.5mm  内径2:2.0mm
ng  紐を通しやすいが、強くひっぱると抜ける。
外径:4.0  内径1:2.5mm  内径2:1.8mm
ok  紐はまだ通しやすく、強く引っ張っても抜けない。
外径:4.0  内径1:2.5mm  内径2:1.6mm
ok  紐を通すときにかなりの力を必要するが、強く引っ張っても抜けない。
結論：内径1.6mm, 1.8mmだと結び目が抜けないため良い。
【００５６】
（略称）
ゴムA_1(ヘアゴム):    芯部分:天然ゴム  表皮:ナイロン  太さ  3mm
ゴムA_2(ヘアゴム):    芯部分:天然ゴム  表皮:レーヨン  太さ  3mm
ゴムB(ヘアゴム):      芯部分:天然ゴム  表皮:ナイロン  太さ  2.3mm
ゴムC(業務用ロープ):芯部分:天然ゴム(カーボン配合)  表皮:ポリエステル  太さ  3mm
ゴムD(業務用ロープ):芯部分:天然ゴム(カーボン配合)  表皮:ポリエステル  太さ  2mm
【実施例４】
【００５７】
（背面取付板の通孔の径と、止め具の径の実験）
３Ｄプリンターで作成した径4.0mmの止め具を、３Ｄプリンターで作成した背面取付板の通孔の径を3.75mm〜4.00mmまで変化させた（実験の背景：止め具を通したときに、穴がしっかりフィットする方が、紙の出し入れをする際に止め具が直立するので便利である）。
穴の径: 4.00mm
最大９度の傾きが発生。通すときに抵抗はほぼない。
穴の径: 3.95mm
最大５度の傾きが発生。通すときに抵抗はほぼない。
穴の径: 3.90mm
最大4度の傾きが発生。通すときにごく軽い抵抗がある。
穴の径: 3.85mm
最大3度の傾きが発生。通すときにごく軽い抵抗がある。
穴の径: 3.80mm
最大1度の傾きが発生。きつく通すときに軽い抵抗がある。
穴の径: 3.75mm
最大0度の傾きが発生。きつく通すときに強い抵抗がある。
したがって、3.80mm〜3.85mmであれば、止め具が直立しかつ止め具を通すことに抵抗もそれほどないため最適である。
【実施例５】
【００５８】
（ブックカバー用リフィール）
綴じ具１０の背面取付板４１及び／又は前面取付板４２には、図７、図８に示すように、プレートとしてのブックカバー用リフィール５０を取り付けることで、ブックカバーに差し込んで利用することができる。
【００５９】
このブックカバー用リフィール５０は、折り返し部分が曲がることによって、ファイル自体の開閉に影響がでないようになっている。（仮に、ただの表紙用の硬いリフィールをブックカバーに挿入すると、ブックカバーを開くと同時にファイル自体も同時に開くようになってしまう。）また、素材を樹脂で作成すれば、さまざまなブックカバーにフィットするようにカットして使うこともできるようになる。
【実施例６】
【００６０】
（綴じ紐のみ）
次に、図９、図１０を用いて、背面取付板４１や前面取付板４２を有しない、綴じ紐２０のみから構成される綴じ具１０Ａについて説明する。
【００６１】
まず、綴じ具１０Ａの構成について説明すると、綴じ具１０Ａは、伸縮性を有する綴じ紐２０と、綴じ紐２０の第１端部に取り付けられた棒状の第１止め具３１と、綴じ紐２０の第２端部に取り付けられた棒状の第２止め具３２と、のみから構成されている。この第１止め具３１及び第２止め具３２の側面には、綴じ紐２０が嵌入移動することのできるスリット３１ａ、３２ａが形成されている。
【００６２】
次に、綴じ具１０Ａの組立方法について説明する。綴じ具１０Ａの組立方法は、次の２つのステップから構成される。
１．ファイルの穴に綴じ紐２０を通す。
２．第１止め具３１及び第２止め具３２を、綴じ紐２０に対して略直角に折り曲げてスリット３１ａ、３２ａに通すことで、ファイルに引っかかるように取り付ける。
【００６３】
次に、綴じ具１０Ａの奏する効果について説明する。上述したように、本実施例の綴じ具１０Ａは、伸縮性を有する綴じ紐２０と、綴じ紐２０の第１端部に取り付けられた棒状の第１止め具３１と、綴じ紐２０の第２端部に取り付けられた棒状の第２止め具３２と、のみから構成されている。そして、第１止め具３１及び第２止め具３２の側面には、綴じ紐２０が嵌入移動することのできるスリット３１ａ、３２ａが形成されている。
【００６４】
このような構成であるため、複数のファイル（紙など）を一つにまとめることができる。さらに、複数のファイルをまとめた状態でノートのように利用することもできる。また、綴じ具１０Ａを取り外すことで、再度、複数のファイルを分離したり、ファイルをまとめ直したりすることができる。なお、綴じ紐２０に張力が発生している状態では、ファイル自体が折り曲がってしまうおそれがある。そのため、通す孔（ファイル側（紙側）の孔）の位置を変えることで張力を調整するか、綴じ紐２０の作成時に紐部分の長さを調整すればよい。
【００６５】
その他の構成・作用等については、実施例１−５と同様であるため、説明を省略する。
【実施例７】
【００６６】
（背面取付板と前面取付板が一体）
次に、図１１、図１２を用いて、背面取付板４１と前面取付板４２が一体となって構成される一体型取付板４０を備える綴じ具１０Ｂについて説明する。
【００６７】
まず、綴じ具１０Ｂの構成について説明すると、綴じ具１０Ｂは、実施例１と同様に、綴じ紐２０と、第1止め具３１と、第２止め具３２と、背面取付板４１と、前面取付板４２と、を備えている。そして、本実施例の綴じ具１０Ｂは、背面取付板４１と前面取付板４２とが、半円筒形状の接続部４３によって接続されて一体型取付板４０とされている。
【００６８】
次に、綴じ具１０Ｂの組立方法について説明する。綴じ具１０Ｂの組立方法は、次の４つのステップから構成される。
１．一体型取付板４０の裏側の孔に綴じ紐２０を通す
２．ファイルに綴じ紐２０を通す
３．一体型取付板４０の表側の孔に綴じ紐２０を通す
４．第１止め具３１及び第２止め具３２を、綴じ紐２０に対して略直角に折り曲げてスリット３１ａ、３２ａに通すことで、一体型取付板４０に引っかかるように取り付ける。
【００６９】
次に、綴じ具１０Ｂの奏する効果について説明する。上述したように、本実施例の綴じ具１０Ｂは、綴じ紐２０と、第１止め具３１と、第２止め具３２と、背面取付板４１と前面取付板４２が一体となった一体型取付板４０と、から構成されている。
【００７０】
このような構成であるため、一体側取付板４０の表側の孔の位置と裏側の孔の位置が、対応する位置に揃った状態となる。これによって、綴じ紐２０が比較的に緩めに張られた状態でも、ファイルが乱れることが少なくなるうえに、乱れた場合でも簡単に整えることができるようになる。
【００７１】
その他の構成・作用等については、実施例１−５と同様であるため、説明を省略する。
【００７２】
以上、図面を参照して、本発明の実施例を詳述してきたが、具体的な構成は、この実施例に限らず、本発明の要旨を逸脱しない程度の設計的変更は、本発明に含まれる。
【００７３】
例えば、実施例１−５では、綴じ紐２０と、第1止め具３１と、第２止め具３２と、背面取付板４１と、前面取付板４２と、を備える、綴じ具について説明したが、このうち、前面取付板４２は必須の構成要素ではなく、なくてもよい。
【００７４】
すなわち、別形態の綴じ具として、伸縮性を有する綴じ紐と、前記綴じ紐の第１端部に取り付けられた棒状の第1止め具と、前記綴じ紐の第２端部に取り付けられた棒状の第２止め具と、前記第１止め具が挿通される第1通孔と前記第２止め具が挿通される第２通孔とが設けられた背面取付板と、を備える、綴じ具、であってもよい。このような構成であっても、第１止め具と第２止め具で被綴じ要素の前面を抑えることで、被綴じ要素を綴じるという所望の目的は十分に達成できる。
【００７５】
さらに、綴じ紐２０の素材としては、バネを組み込んだ伸び縮み可能なワイヤーやバネそのもの（ボールペンの芯に入っているようなバネの長いバージョン）でも代替可能である。つまり、綴じ紐２０は、長尺方向に伸縮する紐（あるいは長尺部材）であればどのような素材であってもよい。
【００７６】
また、止め具とファイルに通される棒とを分離することもできる。分離することで、止め具部分がシンプルになり目立たなくなる。しかし、棒自体は紐から取り出せないので、ファイルの背面取付板部分に通る紐に残ることになる。
【符号の説明】
【００７７】
１０        綴じ具
１０Ａ、１０Ｂ  綴じ具
２０        綴じ紐
３１        第１止め具
３１ａ      スリット
３２        第２止め具
３２ａ      スリット
４０        一体型取付板
４１        背面取付板
４１ａ      第１通孔
４１ｂ      第２通孔
４２        前面取付板
４２ａ      第１通孔
４２ｂ      第２通孔
４２ｃ      凹部
５０        ブックカバー用リフィール（プレート）
【図１】
2020097211.tif 000003
【図２】
2020097211.tif 000004
【図３】
2020097211.tif 000005
【図４】
2020097211.tif 000006
【図５】
2020097211.tif 000007
【図６】
2020097211.tif 000008
【図７】
2020097211.tif 000009
【図８】
2020097211.tif 000010
【図９】
2020097211.tif 000011
【図１０】
2020097211.tif 000012
【図１１】
2020097211.tif 000013
【図１２】
2020097211.tif 000014